(57)【要約】【課題】計量装置の点検時における作業者の記録ミスや判断ミス等を防止する。【解決手段】点検時には、基準分銅が計量台に載置されて記憶キーが操作されることによって、基準分銅の計量値を記憶し、この記憶した計量値と予め記憶されている基準分銅に対応する基準設定値とを比較し、その差が許容範囲内であるか否かによって、計量装置の適・不適を判定し、不適と判定されたときには、計量装置の校正すべき旨のメッセージを表示するようにしている。【選択図】図２
2011112437.tif 000002
【特許請求の範囲】
【請求項１】
計量台に載置される被計量物を計量する計量装置であって、
当該計量装置を点検するための基準分銅が前記計量台に載置されたときの計量値を記憶する記憶部と、
前記記憶部に記憶されている前記計量値と予め設定されている判定用データとに基づいて、前記点検における適・不適の判定を行なう判定部と、
前記判定部の判定結果を出力する出力部と、
を具備したことを特徴とする計量装置。
【請求項２】
点検用のモードを設定するための設定部を具備し、
前記記憶部、前記判定部及び前記出力部は、前記点検用のモードが設定されたときに、前記記憶、前記判定及び前記出力をそれぞれ行なうものであり、
前記基準分銅は、当該計量装置に非内蔵の分銅であり、
前記判定用データには、前記基準分銅に対応する基準設定値、及び、該基準設定値と前記記憶部の計量値との差の許容範囲を含み、
前記出力部は、前記判定結果を表示、印刷及び音声の内の少なくともいずれか一つによって出力する請求項１に記載の計量装置。
【請求項３】
前記判定用データは、前記点検における適・不適を複数の項目で判定するための各項目に対応した判定用データを含み、第１の項目に対応する判定用データが、前記基準設定値及び前記許容範囲であり、
前記判定部は、第１の項目の適・不適の判定によって、適と判定されたときに、次の項目の判定を行なうものであり、
前記出力部は、各項目に応じた判定結果を出力する請求項２に記載の計量装置。
【請求項４】
前記点検は、当該計量装置の使用前に行なう使用前点検であって、
前記出力部は、前記判定結果が不適であるときに、当該計量装置の校正または前記使用前点検よりも詳細な点検を促す出力を行う請求項３に記載の計量装置。
【請求項５】
前記判定結果を記憶する判定結果記憶部を具備し、
前記出力部は、過去の使用前点検で前記記憶部に記憶された前記計量値及び過去の使用前点検で前記判定結果記憶部に記憶された判定結果の少なくともいずれか一方を出力可能である請求項４に記載の計量装置。
【発明の詳細な説明】
【技術分野】
【０００１】
本発明は、被計量物が載置される計量台を備え、当該計量台に載置した被計量物を計量する計量装置に関する。
【背景技術】
【０００２】
一般的に、前記計量台を備えた計量装置では、その使用前に日常点検が行われる。この日常点検は例えば作業者により次の手順を実施することにより行われる。すなわち、重量既知の基準分銅を計量装置の計量台に載置し、次いで計量表示部に表示されている基準分銅の計量台上での重量値を記録用紙に直接書き込んで記録するか、あるいは、プリンタ等の自動記録装置により自動印字して記録すると共に、前記表示された重量値が前記基準分銅に対応する所定の重量範囲内にあるか否かを判断する。
【０００３】
そして、前記表示された重量値が前記所定の重量範囲にない場合には、作業者により計量装置の校正が行われる。この校正は、計量装置の計量台に被計量物が一切載置されていないときに、表示される重量値が「０」になるように、イニシャル調整し、次いで、計量装置の計量台に基準分銅を載置すると共に、この基準分銅の重量値と表示される重量値とが同じになるように調整することによって行われる（例えば、特許文献１(段落［０００２］等)参照）。
【先行技術文献】
【特許文献】
【０００４】
【特許文献１】特開２００３−１４４８９号公報
【発明の概要】
【発明が解決しようとする課題】
【０００５】
上述の日常点検では、作業者が、基準分銅を計量装置の計量台に載置したときに、計量表示部に表示される重量値とは異なる重量値を記録用紙に誤って記録してしまったり、あるいはプリンタなどの自動記録装置の故障により記録することができないといった、いわゆる記録ミスが発生することがある。更には、計量表示部に表示される重量値が、所定の重量範囲内にあるか否かの判断を作業者が誤るといった、いわゆる判断ミスが発生することがある。また、日常の業務に追われる作業者が、基準分銅を用いた計量を実際には行わずに、記録用紙に所定の重量範囲内の重量値を不正に記録して、点検作業を省略するといったことも想定される。
【０００６】
本発明は、このような実情に着目してなされたものであって、計量装置の点検に際して、上記した記録ミス、判断ミスを防止可能にすると共に、かつ、実際に点検作業が行われていない場合に、不正に記録が行われることを防止可能にすることを目的とする。
【課題を解決するための手段】
【０００７】
前記目的を達成するために、本発明では、次のように構成している。
【０００８】
（１）本発明による計量装置は、計量台に載置される被計量物を計量する計量装置であって、当該計量装置を点検するための基準分銅が前記計量台に載置されたときの計量値を記憶する記憶部と、前記記憶部に記憶されている前記計量値と予め設定されている判定用データとに基づいて、前記点検における適・不適の判定を行なう判定部と、前記判定部の判定結果を出力する出力部と、を具備している。
【０００９】
前記記憶部は、内蔵のメモリであってもよいし、磁気ディスク、光ディスク、光磁気ディスク等の記憶媒体であってもよい。
【００１０】
前記出力部は、単に適・不適の判定結果のみを出力するのではなく、判定の過程で行った演算処理のデータなどを出力するのが好ましい。
【００１１】
本発明の計量装置によると、点検時には、計量台に載置された基準分銅の計量値が記憶部に記憶され、この記憶された計量値と、予め記憶された判定用データとに基づいて、適・不適が判定されてその結果が出力されるので、作業者は、基準分銅の計量値の記録や適・不適の判断を行う必要がなく、計量値の記録ミスや判断ミスが生じることがない。また、点検時の基準分銅の計量値は、記憶部に記憶されるので、点検作業を省略して記録用紙に重量値を不正に記録するといったことも防止できる。
【００１２】
（２）本発明の計量装置の好ましい実施態様では、点検用のモードを設定するための設定部を具備し、前記記憶部、前記判定部及び前記出力部は、前記点検用のモードが設定されたときに、前記記憶、前記判定及び前記出力をそれぞれ行なうものであり、前記基準分銅は、当該計量装置に非内蔵の分銅であり、前記判定用データには、前記基準分銅に対応する基準設定値、及び、該基準設定値と前記記憶部の計量値との差の許容範囲を含み、前記出力部は、前記判定結果を表示、印刷及び音声の内の少なくともいずれか一つによって出力するものである。
【００１３】
前記記憶部は、基準分銅が前記計量台に載置されたときの計量値を、該計量値が安定したときに自動的に記憶するようにしてもよいし、あるいは、操作に応答して記憶するようにしてもよい。
【００１４】
前記出力部は、判定結果を出力するのに加えて、計量台に載置された被計量物の計量値を表示できるのが好ましい。
【００１５】
この実施態様によると、作業者が、点検用のモードを設定して基準分銅を計量台に載置すると、基準分銅の計量値と基準分銅に対応する基準設定値との差が、許容範囲内であるか否かによって適・不適が判定され、その判定結果が、表示、印刷、音声のいずれかで出力される。
【００１６】
（３）上記（２）の実施態様では、前記判定用データは、前記点検における適・不適を複数の項目で判定するための各項目に対応した判定用データを含み、第１の項目に対応する判定用データが、前記基準設定値及び前記許容範囲であり、前記判定部は、第１の項目の適・不適の判定によって、適と判定されたときに、次の項目の判定を行ない、前記出力部は、各項目に応じた判定結果を出力するようにしてもよい。
【００１７】
適・不適を判定する複数の項目としては、点検時における基準分銅の計量値と校正時における基準分銅の計量値との差が許容範囲内であるか否かを判定する項目、点検の度に前記記憶部に記憶される基準分銅の計量値が、増加傾向または減少傾向のいずれか一方の傾向を連続して示しているときに、その連続する回数が所定回数に達したか否かを判定する項目、前回の点検からの経過時間が、所定時間に達したか否かを判定する項目などであるのが好ましい。
【００１８】
適・不適を判定する項目が、点検時における基準分銅の計量値と校正時における基準分銅の計量値との差が許容範囲内であるか否かを判定する項目である場合には、該項目に対応する判定用データとしては、校正時に基準分銅が計量台に載置されたときの計量値、及び、該計量値と前記記憶部の計量値との差の許容範囲であるのが好ましい。また、適・不適を判定する項目が、点検の度に前記記憶部に記憶される基準分銅の計量値が、増加傾向または減少傾向のいずれか一方の傾向を連続して示しているときに、その連続する回数が所定回数に達したか否かを判定する項目である場合には、該項目に対応する判定用データとしては、前記所定回数であるのが好ましく、前回の点検からの経過時間が、所定時間に達したか否かを判定する項目である場合には、該項目に対応する判定用データとしては、前記所定時間であるのが好ましい。
【００１９】
この実施態様によると、点検時には、基準分銅の計量値と基準分銅に対応する基準設定値との差が、許容範囲内であるか否かの第１の項目の判定が行なわれるだけではなく、第１の項目で適と判定されたときには、更に、他の項目の判定が行なわれて各項目に対応する判定結果が出力されるので、より詳細な点検が行なえる。
【００２０】
（４）上記（３）の実施態様では、前記点検は、当該計量装置の使用前に行なう使用前点検であって、前記出力部は、前記判定結果が不適であるときに、当該計量装置の校正または前記使用前点検よりも詳細な点検を促す出力をするようにしてもよい。
【００２１】
計量装置の校正または前記使用前点検よりも詳細な点検を促す出力は、前記校正または前記詳細な点検を行なうことを強く要求するものであってもよいし、前記校正または前記詳細な点検を行なうことを働きかけるようなものであってもよく、判定する項目毎に異なる出力としてもよいし、同じ出力としてもよい。
【００２２】
この実施態様によると、判定結果が不適であるときには、校正または詳細な点検を促す出力が為されるので、作業者は、校正または詳細な点検を行うべき時期を知ることができる。
【００２３】
（５）上記（４）の実施態様では、前記判定結果を記憶する判定結果記憶部を具備し、前記出力部は、過去の使用前点検で前記記憶部に記憶された前記計量値及び過去の使用前点検で前記判定結果記憶部に記憶された判定結果の少なくともいずれか一方を出力可能としてもよい。
【００２４】
過去の使用前点検で記憶された計量値や判定結果の出力は、出力を要求する操作に応じて行うのが好ましい。
【００２５】
この実施態様によると、過去の使用前点検における計量値や判定結果の履歴を容易に把握することができる。
【発明の効果】
【００２６】
本発明によると、点検時には、計量台に載置された基準分銅の計量値が記憶部に記憶され、この記憶された計量値と、予め記憶された判定用データとに基づいて、適・不適が判定されてその結果が出力されるので、作業者は、基準分銅の計量値の記録や適・不適の判断を行う必要がなく、計量値の記録ミスや判断ミスが生じることがない。また、点検時の基準分銅の計量値は、記憶部に記憶されるので、点検作業を省略して記録用紙に重量値を不正に記録するといったことも防止できる。
【図面の簡単な説明】
【００２７】
【図１】図１は本発明の実施形態１にかかる計量装置のブロック図である。
【図２】図２は図１の計量装置の点検時の処理フローチャートである。
【図３】図３は図１の計量装置のデータ読み出し時のフローチャートである。
【図４】図４は本発明の実施形態２にかかる計量装置の点検時の処理フローチャートである。
【発明を実施するための形態】
【００２８】
以下、本発明の実施形態を図面に基づいて詳細に説明する。
【００２９】
（実施形態１）
図１は、本発明の実施形態にかかる計量装置の構成を示すブロック図である。
【００３０】
この計量装置は、被計量物が載置されると共にその載置された被計量物の重量を計量する計量部1と、被計量物の計量値を表示する指示計２とを備えている。
【００３１】
計量部１は、被計量物が載置される計量台３と、この計量台３にかかる荷重を検出するロードセルなどからなる荷重検出部４とを備えている。
【００３２】
指示計２は、荷重検出部４からのアナログ荷重信号を、デジタル荷重信号に変換するＡ／Ｄ変換器５と、入出力インターフェース（Ｉ／Ｆ）６を介して与えられるデジタル荷重信号を演算処理して後述の判定を行うと共に、各部を制御するＣＰＵ７と、このＣＰＵ７に演算や制御を行わせるためのプログラム等が記憶されたＲＯＭ８と、演算や制御時にレジスタとして機能するＲＡＭ９と、後述の判定用データや判定結果などを記憶する不揮発性ＲＡＭ１２と、計量値や判定結果などを表示する出力部としての表示部１０と、各種の設定操作が行なわれるキーボード等からなる入力部１１と、時間を計測する計時部１３とを備えている。
【００３３】
この実施形態にかかる計量装置は、当該計量装置の日常的な使用前の点検時における作業者の記録ミスや判断ミスなどを防止するために、次のようにしている。
【００３４】
先ず、日常的な点検において、計量装置を使用できるか否かの適・不適を判定するのに用いる判定用データを予め記憶させる。
【００３５】
具体的には、設定部としての入力部１１を操作して判定用データの設定モードを起動し、点検に使用する基準分銅の重量値を基準設定値として設定すると共に、その許容範囲を設定する。例えば、６００ｋｇの基準分銅を点検に使用する場合には、基準設定値として６００ｋｇを設定し、許容範囲として、例えば、±１００ｇを設定する。なお、かかる数値は、一例に過ぎず、計量装置の計量範囲や精度に応じた設定が行なわれる。
【００３６】
日常的な点検時には、作業者は、入力部１１を操作して点検モードを設定し、計量装置外の重量既知の基準分銅（図示せず）を計量部１の計量台３に載置し、表示部１０に表示される計量値が安定したときに、入力部１１の記憶キーを操作する。ＣＰＵ７は、上記点検モードの設定と、入力部１１の記憶キー操作により、図２に示す点検モード処理フローチャートを実行する。
【００３７】
すなわち、図２を参照して、入力部１１の操作により点検モードが設定され、記憶キーが操作されると(ステップｎ１)、ＣＰＵ７は、そのときの基準分銅の計量値を重量データとして不揮発性ＲＡＭ１２に点検日時と共に記憶させる（ステップｎ２）。ＣＰＵ７は、この記憶した重量データと、判定用データとしての上記基準設定値（６００ｋｇ）とを比較し（ステップｎ３）、その差が、判定用データとしての上述の許容範囲である±１００ｇの範囲内であるか否かを判断し（ステップｎ４）、許容範囲内でないときには不適としてＮＯと判定し、その判定結果を不揮発性ＲＡＭ１２に点検日時と共に記憶させ、計量装置を校正すべきである旨の警告メッセージを表示部１０に表示させて終了する（ステップｎ５）。この場合、前記警告メッセージに代えて、計量装置の詳細な点検を行うべき旨の警告メッセージを表示部１０に表示するようにしてもよい。
【００３８】
作業者は、前記警告メッセージの表示により、計量装置の校正を行ったり、詳細な点検を行うといった適宜の措置を取ることができる。
【００３９】
ステップｎ４において、ＣＰＵ７は、許容範囲内で適正であると判断したときは、ＹＥＳと判定し、その判定結果を不揮発性ＲＡＭ１２に点検日時と共に記憶させ、適正である旨を表示部１０に表示させて終了する（ステップｎ６）。作業者は、表示部１０における適正である旨の表示を見て、点検モードを解除して本来の計量作業を開始することができる。
【００４０】
このように日常的な使用前の点検時には、作業者が、点検モードを起動し、基準分銅を計量台３に載置して計量値が安定したときに、入力部１１における記憶キーを操作することによって、計量された重量データが不揮発性ＲＡＭ１２に記憶されると共に、適・不適の判定がされてその判定結果が不揮発性ＲＡＭ１２に記憶されると共に、表示部１０に表示されることになる。
【００４１】
したがって、作業者が記録用紙に重量値を記録したり、適・不適を判断したりする必要が無くなり、これによって、従来とは異なって作業者による重量値の記録ミスや判断ミスが発生するおそれが無くなる。
【００４２】
また、作業者が日常業務に追われてしまって、基準分銅を用いた計量を行わず、記録用紙に所定の重量範囲内の重量値を不正に記録して、点検作業を省略するといったことも想定されるが、本実施形態では、基準分銅の計量値は重量データとして不揮発性ＲＡＭ１２に記憶されるので、かかる点検作業を省略した不正な重量データの記録を防止することができる。
【００４３】
また、過去の点検時の基準分銅の計量値や判定結果を確認したいような場合には、図３に示すように、作業者は、入力部１１から過去のデータの要求操作を行うと(ステップｎ１)、不揮発性メモリ１２から該当する日時に計量値や判定結果のデータを読み出し(ステップｎ２)  、読み出したデータを表示部１０に表示する(ステップｎ３)。したがって、作業者は、過去の点検の履歴を容易に確認することができる。
【００４４】
この実施形態では、不適と判定されたときには、計量装置を校正すべき旨のメッセージを表示したけれども、計量装置を校正すべき旨のメッセージに代えて、不適である旨のメッセージを表示してもよい。
【００４５】
また、この実施形態では、不適と判定されたときには、計量装置を校正すべき旨のメッセージを表示したけれども、他の実施形態として、不適と判定されたときには、再度、基準分銅を載置し直して記憶キーを操作すべき旨のメッセージを表示し、再び不適と判定されたときに、計量装置を校正すべき旨のメッセージを表示するようにしてもよく、あるいは、更に、繰り返して適否を判定し、所定回数連続して不適と判定されたときに、計量装置を校正すべき旨のメッセージを表示するようにしてもよい。
【００４６】
点検時の基準分銅の計量値及び判定結果などのデータは、ハードディスクや光磁気ディスクなどの外部記憶装置に記憶するようにしてもよい。
【００４７】
（実施形態２）
上述の実施形態では、基準分銅の計量値と基準設定値との差が許容範囲内であるか否かを判定したけれども、この実施形態では、前記判定の結果に応じて、更に、複数の項目について判定を行えるようにしている。
【００４８】
すなわち、この実施形態では、基準分銅の計量値と基準設定値との差が許容範囲内であるか否かを第１の判定項目とし、この第１の判定項目で適正と判定されたときには、点検時における基準分銅の計量値と校正時における基準分銅の計量値との差が許容範囲内であるか否かを第２の判定項目として判定し、この第２の判定項目で適正と判定されたときには、点検の度に記憶される基準分銅の計量値が、増加傾向または減少傾向のいずれか一方の傾向を連続して示しているときに、その連続する回数が所定回数に達したか否かを第３の判定項目として判定し、この第３の判定項目で適性と判定されたときには、前回の点検からの経過時間が、所定時間に達したか否かを第４の判定項目として判定を行うようにしている。
【００４９】
各判定の項目によって、適・不適を判定するのに用いる判定用データは、異なる。
【００５０】
具体的には、点検時における基準分銅の計量値と校正時における基準分銅の計量値との差が許容範囲内であるか否かを判定する第２の判定項目では、校正時における基準分銅の計量値と許容範囲とが判定用データとなり、点検の度に記憶される基準分銅の計量値が、増加傾向または減少傾向のいずれか一方の傾向を連続して示しているときに、その連続する回数が所定回数に達したか否かを判定する第３の判定項目では、前記所定回数が判定用データとなり、前回の点検からの経過時間が、所定時間に達したか否かを判定する第４の判定項目では、前記所定時間が判定用データとなる。
【００５１】
第２の判定項目の判定用データである校正時における基準分銅の計量値及びその許容範囲は、計量装置の校正時に、入力部１１を操作することによって、予め不揮発性ＲＡＭ１２に記憶させる。
【００５２】
例えば、校正時に、６００ｋｇの基準分銅を計量台３上に載置して得られる計量値が、６００．１ｋｇであれば、この６００．１ｋｇを校正時の重量データとして予め不揮発性ＲＡＭ１２に記憶させる。更に、その許容範囲として、例えば、±５０ｇを設定して不揮発性ＲＡＭ１２に記憶させる。この校正時の許容範囲は、上述の基準設定値の許容範囲よりも狭いのが好ましい。
【００５３】
また、第３の判定項目の判定用データである所定回数及び第４の判定項目の判定用データである所定時間は、上述の実施形態と同様に、入力部１１を操作して判定用データの設定モードを起動し、それぞれ設定する。
【００５４】
図４は、この実施形態の処理を示すフローチャートであり、上述の図２に対応するフローチャートである。
【００５５】
日常的な点検時には、上述の実施形態と同様に、作業者は、入力部１１を操作して点検モードを設定し、基準分銅を計量部１の計量台３に載置し、表示部１０に表示される計量値が安定したときに、入力部１１の記憶キーを操作する。
【００５６】
点検モードが設定された計量装置では、入力部１１の記憶キーが操作されると(ステップｎ１)、そのときの基準分銅の計量値を重量データとして不揮発性ＲＡＭ１２に点検日時と共に記憶する（ステップｎ２）。
【００５７】
この記憶した重量データと判定用データとして基準設定値とを比較し（ステップｎ３）、その差が、判定用データとしての許容範囲内であるか否かを判断し（ステップｎ４）、許容範囲内でないときには、不適としてＮＯと判定して判定結果を不揮発性ＲＡＭ１２に点検日時と共に記憶し、計量装置を校正すべきである旨の警告メッセージを表示部１０に表示して終了する（ステップｎ５）。
【００５８】
この実施形態では、ステップｎ４において、許容範囲内であるときには適正としてＹＥＳと判定し、第２の判定項目の判定を行う。すなわち、ステップｎ３で記憶した点検時の重量データと上述のように校正時に予め記憶した重量データとを比較し(ステップｎ６)、その差が、校正時に設定した許容範囲内であるか否かを判断し(ステップｎ７)、許容範囲内でないときには、不適としてＮＯと判定して判定結果を不揮発性ＲＡＭ１２に点検日時と共に記憶し、計量装置の校正を行なった方がよい旨のメッセージを表示部１０に表示して終了する（ステップｎ８）。
【００５９】
ステップｎ７において、許容範囲内であるときには適正としてＹＥＳと判定し、第３の判定項目の判定を行う。すなわち、ステップｎ３で記憶した今回の点検時の重量データと前回の点検時に記憶した重量データとを比較し(ステップｎ９)、前回に比べて重量データが＋方向(増加傾向)か、−方向(減少傾向)かを判定して記憶し(ステップｎ１０)と、同じ傾向が、所定回数、例えば、５回以上続いたか否かを判断し(ステップｎ１１)、５回以上続いたときには、不適としてＹＥＳと判定して判定結果を不揮発性ＲＡＭ１２に点検日時と共に記憶し、計量装置の校正を行なった方がよい旨のメッセージを表示部１０に表示して終了する（ステップｎ１２）。
【００６０】
ステップｎ１１において、５回以上続いていないときには、適正としてＮＯと判定し、第４の判定項目の判定を行う。すなわち、前回の校正から所定時間、例えば、１年以上経過したか否かを判断し(ステップｎ１３)、１年以上経過したときには、不適としてＹＥＳと判定して判定結果を不揮発性ＲＡＭ１２に点検日時と共に記憶し、計量装置の校正を行なった方がよい旨のメッセージを表示部１０に表示して終了する（ステップｎ１４）。
【００６１】
また、１年以上経過していないときには、適正としてＮＯと判定して判定結果を不揮発性ＲＡＭ１２に点検日時と共に記憶し、適正である旨を表示部１０に表示して終了する（ステップｎ１５）。
【００６２】
その他の構成は、上述の実施形態と同様である。
【００６３】
この実施形態では、第１の判定項目で適正と判定されたときには、更に第２〜第４の判定項目の判定を行って判定結果に応じた表示を行えるので、計量装置の使用の可否だけでなく、より詳細な点検が行なえる。更に、各項目の判定で不適と判定されたときには、計量装置の校正を促すメッセージを表示できるので、作業者は、計量装置の校正や詳細な点検を行うべき時期を知ることができる。
【００６４】
上述の各実施形態では、判定結果のメッセージを表示部１１に表示したけれども、プリンタを接続して印刷出力してもよいし、あるいは、音声メッセージを出力するようにしてもよい。
【産業上の利用可能性】
【００６５】
本発明は、計量装置として有用である。
【符号の説明】
【００６６】
１  計量部
３  計量台
４  荷重検出部
２  指示計
７  ＣＰＵ（判定部）
８  ＲＯＭ
９  ＲＡＭ
１０  表示部（出力部）
１１  入力部
１２  不揮発性ＲＡＭ（記憶部、判定結果記憶部）
【図１】
2011112437.tif 000003
【図２】
2011112437.tif 000004
【図３】
2011112437.tif 000005
【図４】
2011112437.tif 000006